(57)【特許請求の範囲】
【請求項１】
ファイバースコープを支持する第１の台座と、
前記第１の台座の一方に連結された支持軸と、
前記支持軸に連結され、前記ファイバースコープにより撮影された映像を出力するための撮像装置を支持する第２の台座と、
を備えていることを特徴とするファイバースコープ用アタッチメント。
【請求項２】
前記第２の台座は、前記支持軸をスライドする機能を備えていることを特徴とする請求項１に記載のファイバースコープ用アタッチメント。
【請求項３】
前記第２の台座は、前記撮像装置の位置を調整する機能を備えていることを特徴とする請求項１、又は２に記載のファイバースコープ用アタッチメント。
【請求項４】
前記第１の台座によって支持されるファイバースコープの接眼レンズと前記第２の台座によって支持される撮像装置の撮像レンズとを対向するように固定し、前記接眼レンズと撮像レンズ間を接続、及び／又は遮光するための接続部材を備えていることを特徴とする請求項１〜３のいずれかに記載のファイバースコープ用アタッチメント。
【発明の詳細な説明】
【０００１】
【発明の属する技術分野】
本発明は、ファイバースコープ等の光学機器と撮像装置とを接続するためのアタッチメントに関する。
【０００２】
【従来の技術】
従来、例えば、地震等の災害が起こり、人間が入り込めない場所（例えば、被災地におけるがれきの隙間等）において被災者を救出する際には、人間の声や感覚を頼りにそのがれき等をどけながら被災者の早期救出に取り組んできた。そのため被災者の位置は人間の経験等に頼るところが多々あった。また、被災者の位置が確認できないため、慎重にがれき等を除去する必要があり、そのがれき等の除去に時間を要していた。また、どこに被災者が埋まっているのかがわからないため、とりあえず、すべてのがれきやビルの残骸を除去する必要があった。
【０００３】
近年は、その対策としてファイバースコープを使用してモニタ又は記録する装置を使用している。この装置は、ファイバースコープと撮像装置のレンズ部とを機種毎のマウントにより接続し、ファイバースコープの先端に設けられている対物レンズにより撮影された映像を撮像装置により確認、記録するための装置である。また、このマウントは互いのレンズ部をねじ込み式で装着するものである。
【０００４】
【発明が解決しようとする課題】
しかし、撮像装置はレンズ位置が様々である（メーカ、機種等により規格が違う）ので、その機種等ごとにあったマウントを使用する必要がある。
【０００５】
また、機種毎にその機種にあったマウントが必要であるため、撮像装置は一定の規格にあったもののみしか使用できない（特定の機種に限定される）という問題点がある。
【０００６】
また、従来あるマウントはねじ込み式のマウントであるので撮像装置とファイバースコープとの間でずれやねじれが生じるとマウントの破損及びレンズ部の接合部の破損等を生じていた。
【０００７】
そこで本発明は、撮像装置の機種の規格にかかわらず容易にファイバースコープと接続できるファイバースコープ用アタッチメントを提供することを目的とする。
【０００８】
【課題を解決するための手段】
以下、本発明について説明する。なお、本発明の理解を容易にするために添付図面の参照符号を括弧書きにて付記するが、それにより本発明が図示の形態に限定されるものではない。
【０００９】
請求項１の発明は、ファイバースコープ（２０）を支持する第１の台座（１１）と、前記第１の台座の一方に連結された支持軸（１２）と、前記支持軸に連結され、前記ファイバースコープにより撮影された映像を出力するための撮像装置（３０）を支持する第２の台座（１４）と、を備えていることを特徴とする。
【００１０】
この発明によれば、ファイバースコープの位置に合わせて、撮像装置の位置を合わせることができるので、撮像装置の機種の規格等にかかわらず容易にファイバースコープと接続できる。
【００１１】
請求項２の発明は、前記第２の台座は、前記支持軸をスライドする機能を備えていることを特徴とする。
【００１２】
この発明によれば、撮像装置の機種の規格にかかわらず容易に撮像装置の位置（高さ）を変更できるので、ファイバースコープと接続できる。
【００１３】
請求項３の発明は、前記第２の台座は、前記撮像装置の位置を調整する機能を備えていることを特徴とする。
【００１４】
この発明によれば、撮像装置の機種の規格にかかわらず容易に撮像装置の位置（幅）を変更できるので、ファイバースコープと接続できる。
【００１５】
請求項４の発明は、前記第１の台座によって支持されるファイバースコープの接眼レンズ（２１ａ）と前記第２の台座によって支持される撮像装置の撮像レンズ（３０ａ）とを対向するように固定し、前記接眼レンズと撮像レンズ間を接続、及び／又は遮光するための接続部材（４０）を備えていることを特徴とする。
【００１６】
この発明によれば、多少のねじれやずれにも対応できるとともに、接眼レンズと撮像レンズ間に入射する光を遮ることができるので鮮明な画像を出力、又は記録することができる。また、この接続部材を柔軟性のある素材（例えば、ゴム等）を使用することにより接眼レンズと撮像レンズのレンズの径が異なっていても接続することが可能となる。
【００１７】
【発明の実施の形態】
図１〜図３により、本発明の実施形態に係るファイバースコープ用アタッチメントを説明する。図１は本発明のファイバースコープ用アタッチメントにファイバースコープと撮像装置と三脚とを取り付けた際の外観図を示し、図２は本発明のファイバースコープ用アタッチメントの全体構造を示し、図２（ａ）は平面図、図２（ｂ）は正面図を示し、図３はファイバースコープの外観図を示す。
【００１８】
このファイバースコープ用アタッチメント（以下「補助器具１０」という。）は、ファイバースコープ２０で撮影された映像を撮像装置３０において出力、又は記録するために、ファイバースコープ２０と撮像装置３０とを接続するためのものである。
【００１９】
この補助器具１０は、ファイバースコープ２０を支持するための第１の台座１１と、この第１の台座１１の一方に連結された支持軸１２と、この支持軸１２に連結されるとともに、撮像装置３０を支持する第２の台座１４と、を備えている。
【００２０】
第１の台座１１は、長方形状の底板１１ａと、その底板１１ａの長手方向に延びる両端部を底板１１ａに対して垂直方向に立設した側部壁１１ｂと、その底板１１ａの一方の端部近傍底面に設けられたネジ孔部１１ｃとを備えている。このネジ孔部１１ｃには、ネジ溝を備えている。また、このネジ孔部１１ｃには支持軸１２が接続（連結）される。
【００２１】
支持軸１２は、円柱形状である。この支持軸１２は、一方に頭部１２ａを備え、他方先端にネジ溝１２ｂを備えている。このネジ溝１２ｂは、第１の台座１１のネジ孔部１１ｃのネジ溝と螺合して連結する。また、支持軸１２の頭部１２ａの外形ｈは、支持軸本体１２ｃの外径ｈ1よりも大きく形成されている。また、この支持軸１２には、第２の台座１４が連結される。
【００２２】
更に、この支持軸１２の頭部先端には市販の三脚３５等と接続するためのネジ孔１２ｄを備えている。三脚３５を接続することにより、ファイバースコープ１３や撮像装置３０等を固定できるので撮影等がし易くなる。
【００２３】
第２の台座１４は、一方の部分に貫通孔１４ａを備え、他方に台座１４の長手方向に延びるように長孔１４ｂを備えている。この長孔１４ｂは貫通孔である。
【００２４】
この貫通孔１４ａが支持軸１２の本体１２ｃに挿入されることにより、第２の台座１４が支持軸１２に連結される。また、第２の台座１４の所定位置には、貫通孔１４ａに直交するようにネジ溝を有する貫通孔１４ｃを備えている。この貫通孔１４ｃには、つまみ１５ａとネジとから構成される位置調整用部材１５が備えられている。つまみ１５ａを回転することにより、位置調整用部材１５のネジが、支持軸１２が挿入されている貫通孔１４ａ内に凸設し、支持軸本体１２ｃを押圧するため、第２の台座１４を支持軸１２の所定位置に固定することができる。この位置調整用部材１５により、第２の台座１４を支持軸上でスライドさせることができるので、撮像装置３０の大きさに応じて、撮像装置３０の位置（高さ）を調整することができる。また、支持軸１２の頭部は、第２の台座１４がスライドする範囲を定めるストッパとしての役目を果たしている。
【００２５】
また、第２の台座１４の表面、且つ、長孔１４ｂの周りには矩形状の弾性体１６を備える。撮像装置３０はこの弾性体上に備えられる。この弾性体１６は、第２の台座１４等に加わる衝撃・振動を吸収し、撮像装置３０に伝達することを抑止するために備えられている。また、この長孔１４ｂには、撮像装置３０を固定するための固定部材１７が設けられている。固定部材１７は、ネジ溝１７ａと軸１７ｂとつまみ１７ｃとを備えている。ネジ溝１７ａの外形は軸１７ｂの外形より大きく形成されている。またつまみ１７ｃの外形も軸１７ｂの外形より大きく形成されている。このネジ溝１７ａとつまみ１７ｃとにより第２の台座１４を挟むように備えられている。この第２の台座１４上には、撮像装置３０が配置される。撮像装置３０の底面所定部には、上記ネジ溝１７ａと螺合するためのネジ孔が設けられている。即ち、つまみ１７ｃを回すことにより、第２の台座上に撮像装置が固定される。また、長孔１４ｂの範囲内において自由に撮像装置３０の位置を調整することができる。
【００２６】
また、第１の台座１１に支持されるファイバースコープ２０は、多数の光ファイバと、この多数の光ファイバを規則的に配列した束を覆うアーム部材２１とを備える。アーム部材２１は、一方の先端に対物レンズ２１ｂ、他方に接眼レンズ２１ａを装着し、この対物レンズ２１ｂに光ファイバの一端側が光学的に接続されるとともに、接眼レンズ２１ａに光ファイバの他端側が光学的に接続されている。これにより対物レンズ２１ｂにより像を投影し、接眼レンズ２１ａから相似の像を取り出す。
【００２７】
また、アーム部材２１は挿入部２３とヘッド部２３ａ（首振り部）とに分かれている。ヘッド部２３ａは、対物レンズ２１ｂが備えられている先端を、図３に示すように、図上水平方向に９０度、垂直方向に１２０度の範囲内で自由に操作できる。即ち、ヘッド部２３ａは上記範囲内で左右上下に回転することが可能である。
【００２８】
また、接眼レンズ側のアーム部材２１の所定位置には、操作部２２を備えているケーシング２０ａを備える。操作部２２は、対物レンズのあるヘッド部を撮影方向に調整（回転等）を行うための調整用つまみ２２ａ、２２ａを備えている。また、この調整用つまみ２２ａは、ヘッド部２３ａを回転等して位置決めした位置を固定するためのブレーキレバー２２ｂ（ストッパー）を備えている。
【００２９】
また、アーム部材２１の対物レンズ側の先端には発光部２４を備えている。また、ケーシング内部には電源部２５を備え、発光部２４に電気を供給する。電源部２５には起電力を発生させる電池２５ａを備える。電池２５ａは電池蓋２５ｂにより収納される。電源部２５は電気的に光ファイバと接続され、光ファイバにより光を伝達し、発光部２４により発光させ、被処理物を照らすことができる。
【００３０】
このようにすることにより、暗所、及び／又は爆発性のガス雰囲気中であっても使用することができる。また、操作部２２の所定位置には、光を点灯したり消灯したりするための照明スイッチ２５ｃが備えられている。
【００３１】
また、光ファイバから放出される熱を放熱する放熱板２６をケーシング２０ａの所定位置に配設している。
【００３２】
また、アーム部材２１のヘッド部２３ａ内部には集音用マイクを備えている。それにともない、操作部２２の所定位置には集音用マイクより集音した音を出力するためのイヤホン２７と、音量を調整するボリューム調整用つまみ２７ａと、を備えている。
【００３３】
また、具体的には、このケーシング２０ａが第１の台座１１に支持されている。第１の台座１１には、ケーシング２０ａを固定するための固定部材１３、１３が備えられている。この固定部材１３は、例えば、マジックテープ（Ｒ）である。また、第１の台座１１には、所定位置に貫通孔１１ｄが設けられている。これは、市販のファイバースコープには、通常、把手が設けられているので、その把手部分（通常、円筒型）を挿入するためのものである。把手を挿入することにより、容易にファイバースコープを第１の台座１１に固定（配置）することができる。
【００３４】
また、第２の台座１４に支持される撮像装置３０は、外部に撮像レンズ３０ａと、撮像装置固定用孔３０ｂと、撮影された映像を見るための液晶画面３０ｃ又はファインダと、記録するための操作を行う操作部３０ｄと、を備えている。好適には、ズーム機能を備えているデジタルカメラやビデオカメラが使用される。
【００３５】
撮像レンズ３０ａはメーカの規格により様々であるが、例えば、正面からみて左上部に設けられている。同様に、撮像装置固定用孔３０ｂは底面に設けられ、液晶画面３０ｃ又はファインダは背面に設けられ、操作部３０ｄは平面に設けられている。
【００３６】
ここで補助器具の使用方法について説明する。
【００３７】
まず、第１の台座１１の側部壁１１ｂ、１１ｂに挟まれる底板１１ａ上にファイバースコープ２０のケーシング２０ａを配置する。その際、底板１１ａに連結された支持軸方向にファイバースコープ２０の接眼レンズ２１ａを有するように配置する。位置決めしたら、固定部材１３、１３により第１の台座１１にしっかりと固定する。
【００３８】
次に、第２の台座１４上に撮像装置３０を配置する。撮像装置３０の撮像装置固定用孔と第２の台座１４の固定部材１７のネジ溝１７ａとを螺合し、第２の台座１４の所定位置に撮像装置３０を固定する。撮像装置３０の位置は、固定部材１７のつまみ１７ｃを緩めることにより第２の台座１４の長手方向に長孔１４ｂ内をスライドして調整できる。また、第２の台座１４は、位置調整用部材１５のつまみ１５ａを緩めることにより、支持軸本体上をスライドして高さ方向を調整できる。この固定部材１７と調整用部材１５により撮像装置の位置（上下、左右、前後それぞれの位置）を調整して、撮像装置３０の撮像レンズ３０ａと光ファイバースコープ２０の接眼レンズ２１ａとが対向する位置に調整し、固定する。また、撮像レンズ３０ａと接眼レンズ２１ａとの間には遮光、及び大きさの異なるレンズ（撮像レンズ、接眼レンズ）を接続するための接続部材４０を取り付ける。接続部材４０は、例えば伸縮自在な弾性体（柔軟性のある素材（例えば、ゴム等））を使用し、撮像レンズ３０ａと接眼レンズ２１ａとを連結する。また、この接続部材４０の形状は、中空形状であるとともに、一端から他端側に順次外形が広がるように形成されている。この接続部材４０により、光の入射を遮ることができるとともに、撮像装置側のレンズの大きさに左右されずにファイバースコープ２０の接眼レンズ２１ａと撮像装置３０の撮像レンズ３０ａとを接続することができる。また、接続部材４０は、柔軟性のある素材を使用するので、接続部分にも負荷が加わらずファイバースコープ２０や撮像装置３０等の機器の損傷の恐れも少ない。また、接続部材４０は伸縮するので接眼レンズ及び撮像レンズに密着して装着できる。
【００３９】
以上、補助器具の実施形態を示したが、この実施形態に限定されず、種々の形態により実施できる。例えば、ファイバースコープ２０を支持する第１の台座１１は直線形状の台座に限定されるものではなく、丸形等の各種スコープ用を備えていてもよい。また、ファイバースコープ２０を支持（固定）するための固定部材１３は、マジックテープ（Ｒ）でなくてもよい。また、撮像装置３０はＣＣＤカメラ等を使用してもよい。撮像装置３０は、必ずしも記録できるものである必要はなく、少なくとも映像を表示できるものであればよい。このように種々の形態にて実施できる。
【００４０】
【発明の効果】
以上に説明したように本発明に係るファイバースコープ用アタッチメントによれば、特定の撮像装置の機種に限定されずにファイバースコープと容易に接続することができる。
【図面の簡単な説明】
【図１】本発明のファイバースコープ用アタッチメントに関し、ファイバースコープと撮像装置と三脚とを取り付けた際の外観図である。
【図２】本発明のファイバースコープ用アタッチメントの全体構造を示し、図２（ａ）は平面図、図２（ｂ）は正面図である。
【図３】ファイバースコープの外観図である。
【符号の説明】
１１  第１の台座
１２  支持軸
１４  第２の台座
２０  ファイバースコープ
２１ａ  接眼レンズ
３０  撮像装置
３０ａ  撮像レンズ
４０  接続部材
【図１】
0004054849.tif 000002
【図２】
0004054849.tif 000003
【図３】
0004054849.tif 000004